【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
データベースと通信できる端末で未発行カードの非個人識別子を新規生成するためのカードベースのシステムであって、
未発行状態のカードを受け取って識別する手段と、
非個人カード識別子を新規生成し、前記カード上に登録コードを記録する計算手段と、
選択されたキャラクタを前記計算手段にユーザが入力できるようにする入力手段であって、前記選択されたキャラクタの入力を行うために前記ユーザが操作可能な複数のゾーンを含む前記入力手段であって、それぞれのゾーンに関連付けられている前記キャラクタが前記受け取って識別する手段によって受け取られる毎に変化するように前記複数のゾーンが配置され、前記入力されたキャラクタは非個人ユーザ識別子を新規生成するために使用される、前記入力手段と、
個人照会せずにカード及びユーザに対するオリジナルの識別子の集合を記録するために前記非個人識別子を前記データベースに送信する手段と、
を含む少なくとも１つの端末を備える、前記システム。
【請求項２】
前記端末は、前記オリジナルのカード識別子を、前記カード上に又は前記カード内に記録するために登録コードに暗号化する手段を備える請求項１に記載のカードベースのシステム。
【請求項３】
前記端末は、前記登録コードを前記カード上に印刷する手段と前記カード上の前記登録コードをスキャンする手段とを備える請求項１または２に記載のカードベースのシステム。
【請求項４】
前記登録コードは、感熱印刷により出力される符号化イメージである請求項３に記載のカードベースのシステム。
【請求項５】
前記端末は、前記登録コードを前記カードに書き込む手段と前記カード上の前記登録コードを読み取る手段とを備える請求項１または２に記載のカードベースのシステム。
【請求項６】
前記登録コードは、材料層で包まれている集積回路のメモリ内に格納される請求項５に記載のカードベースのシステム。
【請求項７】
データベースと通信できる端末で発行済みカードの非個人識別子を生成するためのカードベースのシステムであって、
発行済み状態のカードを受け取って識別する手段と、
前記カード上に記録されている登録コードを解読して非個人カード識別子を生成する計算手段と、
選択されたキャラクタを前記計算手段にユーザが入力できるようにする入力手段であって、前記選択されたキャラクタの入力を行うために前記ユーザが操作可能な複数のゾーンを含む前記入力手段であって、それぞれのゾーンに関連付けられている前記キャラクタが前記受け取って識別する手段によって受け取られる毎に変化するように前記複数のゾーンが配置され、前記入力されたキャラクタは非個人ユーザ識別子を新規生成するために使用される、前記入力手段と、
個人照会せずにカード及びユーザに対する複製の識別子の集合を照合するために前記非個人識別子を前記データベースに送信する手段と、
を含む少なくとも１つの端末を備える、前記システム。
【請求項８】
前記データベースは、前記端末又はそれぞれの端末から離れた場所に配置されているサーバに置かれている請求項１から７のいずれか１項に記載のカードベースのシステム。
【請求項９】
前記受け取って識別する手段は、前記カードを印刷及びスキャン用の選択された位置並びに書き込み及び読み取り用の選択された位置まで誘導するガイドを備える請求項１から８のいずれか１項に記載のカードベースのシステム。
【請求項１０】
それぞれのカードは、前記カード型を示すデータを記録済みであり、前記端末は、前記データを識別し前記計算手段が前記カード型を検証できるようにする手段を備える請求項１から９のいずれか１項に記載のカードベースのシステム。
【請求項１１】
それぞれのカードは、メモリ内にディスクリート・データを格納するための集積回路を備え、前記端末は、前記ディスクリート・データを前記集積回路に読み書きする手段を備える請求項１から１０のいずれか１項に記載のカードベースのシステム。
【請求項１２】
前記集積回路は、前記カード内に隠されている請求項１１に記載のカードベースのシステム。
【請求項１３】
前記ディスクリート・データは、隠されているカード面のイメージの表現である請求項１１または１２に記載のカードベースのシステム。
【請求項１４】
それぞれのゾーンは、前記キャラクタを表示するように配置されている請求項１から１３のいずれか１項に記載のカードベースのシステム。
【請求項１５】
それぞれのゾーンにより表示される前記キャラクタは、制限された視野角内でのみ見える請求項１４に記載のカードベースのシステム。
【請求項１６】
それぞれのゾーンはタッチセンサ機能を持ち、ユーザが指又は物体を置くことにより操作可能である請求項１４又は請求項１５に記載のカードベースのシステム。
【請求項１７】
前記ゾーンは、行列形式で配置されている請求項１から１６のいずれか１項に記載のカードベースのシステム。
【請求項１８】
それぞれのゾーンは、数字を表示するように配置されている請求項１４から１７のいずれか１項に記載のカードベースのシステム。
【請求項１９】
それぞれのゾーンは、フィルタを備える請求項１４から１８のいずれか１項に記載のカードベースのシステム。
【請求項２０】
前記端末又はそれぞれの端末は、メッセージ及び指令を表示する表示手段並びにデータを入力するためのキーボード手段を、備える又は関連付けられている請求項１から１９のいずれか１項に記載のカードベースのシステム。
【請求項２１】
任意の端末ロケーションから任意のサーバ・ロケーションに数値データを伝送するためのカードベースのシステムであって、前記端末は、データベースに非個人識別子の集合を記録するため一定の数値データの集合をコンパイルして送信し、データベース内の非個人識別子の集合を照合するため一定の数値データの集合をコンパイルして送信する手段を備えるカードベースのシステム。
【請求項２２】
カード識別子の前記数値データは、サーバ・ロケーションにあるデータベースで記録又は照合するため一定の順序を有する請求項２１に記載のカードベースのシステム。
【請求項２３】
ユーザ識別子の前記数値データは、サーバ・ロケーションにあるデータベースで記録又は照合するため一定の順序を有する請求項２１に記載のカードベースのシステム。
【請求項２４】
前記数値データは、サーバ・ロケーションにあるデータベース内に前記ユーザ識別子の性別を記録するための数字を含む請求項２１に記載のカードベースのシステム。
【請求項２５】
前記数値データは、双方向通信用の端末ロケーション及びサーバ・ロケーションのサイト識別子を含む請求項２１に記載のカードベースのシステム。
【請求項２６】
前記数値データは、サーバ又は端末ロケーションの日時を記録するための日付識別子を含む請求項２１に記載のカードベースのシステム。
【請求項２７】
前記数値データは、サーバ・ロケーションで取引額を記録するためのデータ識別子を含む請求項２１に記載のカードベースのシステム。
【請求項２８】
前記数値データは、サーバ又は端末ロケーションの受理又は拒絶状態を記録するためのファイル識別子を含む請求項２１に記載のカードベースのシステム。
【請求項２９】
前記数値データは、端末ロケーション及びサーバ・ロケーションで数字の組み合わせの順序及び値を変えること及び元に戻すことにより暗号化され、解読される請求項２１に記載のカードベースのシステム。
【請求項３０】
それぞれの端末は、前記端末が転送用数値データを前記サーバ・データベースに伝送できるホスト・コンピュータに関連付けられている請求項７に記載のカードベースのシステム。
【請求項３１】
複数のサーバとの双方向通信を行うことができる複数の端末を備える請求項１から３０のいずれか１項に記載のカードベースのシステム。
【請求項３２】
カード型サーバで照合を行うための関連付けられているホスト・コンピュータを備えるコンピュータ端末で発行済みカードに対し非個人識別子の集合を生成することができるカードベースのシステムであって、
ａ）発行済み状態の非個人カードを受け取って識別する手段と、前記カード上の第１のイメージを取り込んで、前記イメージの復号化及び解読を行い端末内に非個人カード識別子を生成できる計算手段に入力する手段とを組み込んだ前記端末を備え、
ｂ）前記端末は、タッチ・ゾーンを備え、それぞれのタッチ・ゾーン内のセグメントの配置を照らし、制限された視野角の範囲内でランダムな順序のキャラクタを表示し、ユーザが隠されたキャラクタ・グループを選択された順序で入力すると、前記コンピュータに入力され、前記コンピュータは前記端末内で非個人ユーザ識別子を生成するセンサ手段を備え、
ｃ）前記端末は、非個人カード識別子及び非個人ユーザ識別子をホスト・コンピュータに転送するように配置されており、
ｄ）前記ホスト・コンピュータは、前記カード型サーバの前記データベース内のカード型レコードを特定して非個人識別子の集合を前記データベース内のデータと比較するため前記非個人識別子の集合を送信するモデムであって、前記カード及びユーザの有効性を示す前記ホスト・コンピュータからの命令識別子の集合への応答として受信するように配置されている前記モデムを組み込んだ、前記システム。
【請求項３３】
前記ホスト・コンピュータと前記サーバとの間で送信されるすべての前記データは、数値形式である請求項３２に記載のカードベースのシステム。
【請求項３４】
ディスクリート・カード型に対する別々の通信ネットワークを形成するコンピュータ端末のネットワーク及びカード型サーバのネットワークを含むカードベースのシステムであって、
それぞれのネットワークは任意のコンピュータ端末で非個人識別子を新規生成して前記カード型サーバで非個人識別子を記録する一体化された手段を備え、
未発行カード型に対する非個人識別子の集合を新規生成し記録する前記一体化された手段は、
ａ）端末内で前記未発行状態のカード型を受け取って識別する手段と、
ｂ）前記端末内において、ディスクリート・データを前記カードに組み込まれている集積回路に書き込む手段と、
ｃ）前記端末内において、前記カードに対する非個人カード識別子を新規生成する手段と、
ｄ）前記端末内において、前記カード上に符号化及び記録を行うための暗号化された登録コードを新規生成する手段と、
ｅ）前記端末内において、数字グループを入力し、前記カードに対する非個人ユーザ識別子を新規生成する手段と、
ｆ）前記カード型に対する非個人識別子の集合をカード型サーバに送信する手段と、
ｇ）カード型サーバの前記データベース内にカード型レコードを作成し、前記非個人識別子の集合を記録する手段と、
ｈ）前記カード及び前記ユーザの有効性を示す命令識別子の集合を前記端末に送信する手段と、を含む前記システム。
【請求項３５】
ディスクリート・カード型に対する別々の通信ネットワークを形成するコンピュータ端末のネットワーク及びカード型サーバのネットワークを含むカードベースのシステムであって、
それぞれのネットワークは任意のコンピュータ端末で非個人カード識別子を生成して前記カード型サーバで非個人識別子を照合する一体化された手段を備え、
発行済みカード型に対する非個人識別子の集合を生成し照合する前記一体化された手段は、
ａ）端末内で前記発行済み状態のカード型を受け取って識別する手段と、
ｂ）前記端末内において、前記カードに組み込まれている集積回路上のディスクリート・データを読み取る手段と、
ｃ）前記端末内において、前記カード上の登録コードの復号化及び解読を行って、非個人カード識別子を生成する手段と、
ｄ）前記端末内において、数字グループを入力し、前記カードに対する非個人ユーザ識別子を生成する手段と、
ｅ）前記カード型に対する非個人識別子の集合をカード型サーバに送信する手段と、
ｆ）前記カード型サーバの前記データベース内のカード型レコードを特定し、前記非個人識別子の集合を照合する手段と、
ｇ）前記カード及び前記ユーザの有効性を示す命令識別子の集合を前記端末に送信する手段と、を含む前記システム。
【請求項３６】
端末ロケーション毎に及びサーバ・ロケーション毎に双方向通信識別子をルータ・センターに送信し、ネットワーク相互接続を行い、暗号化コードとともに前記通信識別子をそれぞれのコンピュータ端末及びそれぞれのカード型サーバにダウンロードし、暗号化された非個人識別子及び命令識別子を指定されたロケーション間で経路指定するように配置されているセキュリティ・センターを備え、セキュリティ・センターでは前記ルータ・センターを通じて通信を行い、指定されたロケーションのそれぞれのコンピュータ端末の監視及びアップグレードを行うことができる請求項１から３５のいずれか１項に記載のカードベースのシステム。
【請求項３７】
ディスクリート・カード型に対する非個人識別子のそれぞれの集合及び命令識別子のそれぞれの集合は、前記端末ロケーション及びサーバ・ロケーションを識別する双方向通信識別子を含み、非個人識別子及び命令識別子のそれぞれの集合をアドレス指定して、データ・センターでの匿名登録のためカード型サーバの前記データベース内にカード型レコードを作成するか、又は前記データ・センターでの匿名妥当性確認のため前記同じカード型の前記データベース内でカード型レコードを特定する請求項１から３６のいずれか１項に記載のカードベースのシステム。
【請求項３８】
非個人レコードを有するデータ・センターから個人レコードを有するデータ・センターにコンパイル済みデータを転送するために区分及び匿名性を実現する別々のデータ・センターを備え、非個人レコードを有する前記データ・センターは、カード型レコード内の非個人識別子の集合を照合してデータをコンパイルし、前記データ・センターでの識別又は取引の妥当性を確認し、前記コンパイルされたデータを個人レコードとともにディスクリート・カード発行者の前記データ・センターに転送するカード型サーバを備え、前記コンパイルされたデータは、非個人であって、前記カード発行者に対する参照番号及び活動レコードを含み、これにより前記コンパイルされたデータを前記同じ参照番号を持つ個人レコード内に入力する請求項１から３７のいずれか１項に記載のカードベースのシステム。
【請求項３９】
係員は、未発行カードを前記受けって識別する手段に挿入し、前記計算手段は、非個人カード識別子を新規生成し、前記ユーザは、前記入力手段を操作して前記ユーザにしか知られていない選択されたキャラクタを入力し、前記計算手段は、前記入力されたキャラクタを処理して非個人ユーザ識別子を新規生成し、前記端末は、前記非個人識別子を前記データベースに送信してオリジナルの非個人識別子の集合をそこに記録する請求項１に記載のカードベースのシステム。
【請求項４０】
前記端末は、前記データベースから命令識別子を受け取って、前記非個人識別子を受理又は拒絶し、係員に、前記端末から前記カードを取り出して、無効なカードのままにするか、又は有効なカードをユーザに手渡すように指令を送る請求項３９に記載のカードベースのシステム。
【請求項４１】
係員は、発行済みカードを前記受け取って識別する手段に挿入し、前記コンピュータ手段は、非個人カード識別子を生成し、前記ユーザは、前記入力手段を操作して前記ユーザにしか知られていない選択されたキャラクタを入力し、前記計算手段は、前記入力されたキャラクタを処理して非個人ユーザ識別子を新規生成し、前記端末は、前記非個人識別子を前記データベースに送信して複製の非個人識別子の集合を照合する請求項７に記載のカードベースのシステム。
【請求項４２】
複製の非個人識別子の集合は、カード型サーバの同じデータベース内のオリジナルの非個人識別子の集合と比較される請求項３９または４１に記載のカードベースのシステム。
【請求項４３】
前記非個人識別子及び命令識別子は、もっぱら数値形式である請求項３９又は４１に記載のカードベースのシステム。
【請求項４４】
前記カードは、前記受け取って識別する手段でデータを読み書きするための集積回路及びアンテナを中間層内に隠すために中間層に接着されている２つの外層を持つラミネート材料で構成されている非個人カード用のカードベースのシステム。
【請求項４５】
前記中間層は、前記カードが前記受け取りって識別する手段に挿入されたときに電荷を供給して集積回路に電力を供給するインダクタンス及び／又はキャパシタンス特性を持つ材料を含む請求項４４に記載のカードベースのシステム。
【請求項４６】
前記ラミネート材料は、異なるカード型に対する機械印刷情報を表示するためのそれぞれの外層の外面上の印刷されたオーバーレイ・フィルムを含む請求項４４に記載のカードベースのシステム。
【請求項４７】
前記ラミネート材料は感熱層を貼り付けられており、これにより、異なるカード型に対する定められた領域内に感熱イメージ及びキャラクタを端末で印刷できる請求項４４または４６に記載のカードベースのシステム。
【請求項４８】
前記感熱層は、下側にパッシブ回路を備え、これにより、カード型が前記受け取って識別する手段内に挿入されたときに前記回路を検出する請求項４７に記載のカードベースのシステム。